(57)【要約】【課題】ＲＡＩＤ構成のストレージシステムにおけるスペアディスク装置のデータ消去。【解決手段】ＲＡＩＤ接続により複数のＲＡＩＤグループを構成する複数の磁気ディスク装置（ＨＤＤ）並びに予備のスペアディスク装置Ｓｎとを有する磁気ディスク装置ユニット（ＤＫＵ）３０と、ＲＡＩＤグループを構成する磁気ディスク装置の装置番号を含む構成情報を構成情報テーブル９３に記憶するサービスプロセッサ（ＳＶＣ）９０とを備えるストレージシステムにおけるデータ消去方法であって、サービスプロセッサ９０が、構成情報テーブル９３に記憶した構成情報に含まれる装置番号の磁気ディスク装置の初期化を行った後、構成情報をスペアディスク装置Ｓｎの装置番号を含む構成情報に書き換え、この書き換えた構成情報に含まれる装置番号のスペアディスク装置の初期化を行うもの。【選択図】図１
2008059129.tif 000002
【特許請求の範囲】
【請求項１】
複数のＲＡＩＤグループを構成する複数の磁気ディスク装置及び予備のスペアディスク装置とを有する磁気ディスク装置ユニットと、前記ＲＡＩＤグループを構成する磁気ディスク装置の装置番号を含む構成情報を構成情報テーブルに記憶するサービスプロセッサとを備えるストレージシステムであって、
前記サービスプロセッサが、前記構成情報テーブルに記憶した構成情報に含まれる装置番号の磁気ディスク装置に対して初期化を行う工程と、前記構成情報テーブルを前記スペアディスク装置の装置番号を含む構成情報に書き換える工程と、該書き換えた構成情報に含まれる装置番号のスペアディスク装置に対して初期化を行う工程とを実行することを特徴とするストレージシステム。
【請求項２】
複数のＲＡＩＤグループを構成する複数の磁気ディスク装置及び予備のスペアディスク装置とを有する磁気ディスク装置ユニットと、前記ＲＡＩＤグループを構成する磁気ディスク装置の装置番号を含む構成情報を構成情報テーブルに記憶するサービスプロセッサとを備えるストレージシステムにおけるデータ消去方法であって、
前記サービスプロセッサが、前記構成情報テーブルに記憶した構成情報に含まれる装置番号の磁気ディスク装置に対する初期化を行った後、前記構成情報テーブルを前記スペアディスク装置の装置番号を含む構成情報に書き換え、該書き換えた構成情報に含まれる装置番号に対するスペアディスク装置の初期化を行うことを特徴とするストレージシステムにおけるデータ消去方法。
【発明の詳細な説明】
【技術分野】
【０００１】
本発明は、スペアディスク装置を含む複数の磁気ディスク装置をＲＡＩＤ接続したストレージシステム及び該ストレージシステムのデータ消去方法に係り、特にスペアディスク装置に記録されたデータを効率的に消去することができるストレージシステム及び該ストレージシステムのデータ消去方法に関する。
【背景技術】
【０００２】
近年のストレージシステムは、例えば複数の磁気ディスク装置をＲＡＩＤ（レイド）と呼ばれる接続方式により接続し、ＲＡＩＤ０と呼ばれる分散化によりディスクアクセス高速化を行う「ストライピング」や、ＲＡＩＤ１と呼ばれる同一内容を常時２つのディスクに別々に書き込む「ミラーリング」や、ＲＡＩＤ０＋１と呼ばれる３台以上の磁気ディスク装置を使って、ストライピングによる高速化とミラーリングによる安全性確保を平行して行うものや、ＲＡＩＤ５と呼ばれる複数の磁気ディスク装置にデータのストライピングを行うと共に前記データのパリティを記録するものその他の方式が提案されている。
【０００３】
特に大型コンピュータシステム用のストレージシステムにおいては、多数のＲＡＩＤ構成の磁気ディスク装置を搭載し、また当該複数の磁気ディスク装置の一部に障害が発生した際に対処するため、予備のスペアディスク装置をＲＡＩＤシステム内に配置して運用することが行われている。
【０００４】
尚、前記ＲＡＩＤ構成のストレージシステムが記載された文献としては、例えば下記特許文献が挙げられる。
【特許文献１】特開２００５−９９９９５号公報
【特許文献２】特開２００３−２６３７０３号公報
【特許文献３】特開平１０−８３６１４号公報
【発明の開示】
【発明が解決しようとする課題】
【０００５】
従来技術によるＲＡＩＤ構成のストレージシステムは、システム変更等の際に複数の磁気ディスク装置に記憶したデータの消去を行う必要があるが、従来技術によるデータ消去方法は、前記予備の磁気ディスク装置に記憶されたデータ消去作業が繁雑であると言う不具合があり、この不具合を図２を参照して説明する。
【０００６】
図２（ａ）は、複数の磁気ディスク装置１ａ〜１ｎ等からなるＲＡＩＤグループＧ１〜Ｇ３並びにスペアディスク装置Ｓｎを含むＤＫＵ（磁気ディスク装置ユニット）３０と、該ＤＫＵ３０を制御するための複数のＤＫＣ（磁気ディスク装置コントローラ）２０と、該ＤＫＵ３０及びＤＫＣ２０を制御するためのサービスプロセッサ９０とから成り、複数のホストシステム１０に接続されるストレージシステムを示している。
【０００７】
前記ＤＫＣ２０は、ホストシステム１０と接続するためのチャネル２１と、キャシュメモリ２２と、ＤＫＡ（ディスク制御部）２３とから成り、前記ＳＶＰ９０は、前記ＤＫＵ３０におけるＲＡＩＤの構成情報を記憶するための構成情報テーブル９３と、メモリ９２と、これらを制御するためのＣＰＵ９１とから構成されている。
【０００８】
図２に示したストレージシステムは、ＤＫＵ３０内において、磁気ディスク装置１ａ〜１ｎからＲＡＩＤグループＧ１を構成し、磁気ディスク装置２ａ〜２ｎからＲＡＩＤグループＧ２を構成し、磁気ディスク装置３ａ〜３ｎからＲＡＩＤグループＧ３を構成し、スペアディスク装置Ｓｎが予備のスペアディスク装置であることをＳＶＰ９０の構成情報テーブル９３に格納している。尚、前記ＲＡＩＤグループは、１つの論理的な論理ボリュームを構成している。
【０００９】
この様に構成されたストレージシステムは、ストレージシステムのシステム変更等により複数の磁気ディスク装置に記憶したデータの消去を行うとき、従来技術においては、ＳＶＰ９０が、(1)前記ＤＫＣ２０のチャネル２１の閉塞工程（Blockadeの実行）と、(2)ＤＫＵ３０内の全ＲＡＩＤグループＧ１〜Ｇ３の磁気ディスク装置１ａ〜３ｎの初期化を行う工程（全磁気ディスク装置に「０」パターンを書き込む）と、(3)図２（ｂ）に示す如く、人手によりＲＡＩＤグループＧ３の磁気ディスク装置３ｎをスペアディスク装置Ｓｎと物理的に交換する工程と、(4)該ディスク交換を行ったＲＡＩＤグルーブＧ３の全磁気ディスク装置の初期化を行う工程とを行うものであった。
【００１０】
従って従来技術によるストレージシステムのデータ消去作業は、予備のスペアディスク装置を人手により交換する作業が必要であり、特に大規模システムにおいては前記ＤＫＵ３０が１００以上接続され、物理的に交換するスペアディスクの量が膨大であるため、前記データ消去作業が繁雑であると言う不具合があった。
【００１１】
本発明の目的は、従来技術による不具合を除去することであり、スペアディスク装置も含むデータ消去作業を効率的に行うことができるストレージシステム及び該ストレージシステムのデータ消去方法を提供することである。
【課題を解決するための手段】
【００１２】
前記目的を達成するため本発明は、複数のＲＡＩＤグループを構成する複数の磁気ディスク装置及び予備のスペアディスク装置とを有する磁気ディスク装置ユニットと、前記ＲＡＩＤグループを構成する磁気ディスク装置の装置番号を含む構成情報を構成情報テーブルに記憶するサービスプロセッサとを備えるストレージシステムであって、前記サービスプロセッサが、前記構成情報テーブルに記憶した構成情報に含まれる装置番号の磁気ディスク装置に対して初期化を行う工程と、前記構成情報テーブルを前記スペアディスク装置の装置番号を含む構成情報に書き換える工程と、該書き換えた構成情報に含まれる装置番号のスペアディスク装置に対して初期化を行う工程とを実行することを第１の特徴とする。
【００１３】
また本発明は、複数のＲＡＩＤグループを構成する複数の磁気ディスク装置及び予備のスペアディスク装置とを有する磁気ディスク装置ユニットと、前記ＲＡＩＤグループを構成する磁気ディスク装置の装置番号を含む構成情報を構成情報テーブルに記憶するサービスプロセッサとを備えるストレージシステムにおけるデータ消去方法であって、前記サービスプロセッサが、前記構成情報テーブルに記憶した構成情報に含まれる装置番号の磁気ディスク装置に対する初期化を行った後、前記構成情報テーブルを前記スペアディスク装置の装置番号を含む構成情報に書き換え、該書き換えた構成情報に含まれる装置番号に対するスペアディスク装置の初期化を行うことを第２の特徴とする。
【発明の効果】
【００１４】
本発明によれば、サービスプロセッサが、構成情報テーブルに記憶した構成情報に含まれる装置番号の磁気ディスク装置の初期化を行った後、前記構成情報テーブルをスペアディスク装置を含む構成情報に書き換え、この書き換えた構成情報を基に初期化を行うことによって、スペアディスク装置を物理的に移動させることなく、スペアディスクの初期化を行うことができる。
【発明を実施するための最良の形態】
【００１５】
以下、本発明によるスペアディスク装置のデータ消去方法の一実施形態を図面を参照して詳細に説明する。図１は本実施形態によるデータ消去方法を実現するためのストレージシステムの構成を示す図であり、ハード的な構成は、前記従来技術同様に、複数の磁気ディスク装置１ａ〜１ｎ等からなるＲＡＩＤグループＧ１〜Ｇ３並びにスペアディスク装置Ｓｎを含むＤＫＵ３０と、該ＤＫＵ３０を制御するための複数のＤＫＣ２０と、該ＤＫＵ３０及びＤＫＣ２０を制御するためのサービスプロセッサ（ＳＶＣ）９０とから成り、複数のホストシステム１０に接続される様に構成され、前記ＤＫＣ２０は、ホストシステム１０と接続するためのチャネル２１と、キャシュメモリ２２と、ＤＫＡ２３とから成り、前記ＳＶＰ９０は、前記ＤＫＵ３０におけるＲＡＩＤの構成情報を予め構成情報テーブル９３に記憶しているものとする。また前記スペアディスク装置Ｓｎは、ＤＫＵ３０内において、物理的な配線接続は成されているものの、前記構成情報によって論理的な接続はなされていないものとする。尚、前記符号１ａ〜１ｎ等は、磁気ディスク装置個々に付与された装置番号である。
【００１６】
さて、本実施形態によるストレージシステムは、前記磁気ディスク装置に記憶したデータの消去を行うとき、次の工程をＳＶＰ９０が実行する。
(1)前記ＤＫＣ２０のチャネル２１の閉塞工程（Blockadeの実行）。
(2)構成情報テーブル９３に予め記憶されているＲＡＩＤの前記構成情報に基づき、ＤＫＵ３０内の全ＲＡＩＤグループＧ１〜Ｇ３の磁気ディスク装置１ａ〜３ｎの初期化を行う工程（全磁気ディスク装置に「０」パターンを書き込む）。
【００１７】
(3)前記構成情報テーブル９３に予め記憶されているＲＡＩＤの前記構成情報（図１（ａ））を、ＲＡＩＤグループがスペアディスク装置Ｓｎを含む様に設定した構成情報の再設定（書き換え）を行う工程。
この工程は、図１（ｂ）（ｃ）に示す如く、例えばＲＡＩＤグループＧ１が、磁気ディスク装置１ａ〜１ｎから成り、ＲＡＩＤグループＧ２が、磁気ディスク装置２ａ及び２ｎから成り、ＲＡＩＤグループＧ３が、磁気ディスク装置３ａ及び３ｂ並びにスペアディスク装置Ｓｎとから成る様に構成情報を訂正するが、これに限られるものではなく、要はスペアディスク装置を論理的にＲＡＩＤグループに含ませれば良い。
【００１８】
(4)前記再設定を行った構成情報テーブル９３に記憶されているＲＡＩＤの構成情報（図３（ｃ））に基づき、ＤＫＵ３０内のＲＡＩＤグループの磁気ディスク装置及びスペアディスク装置の初期化を行う工程。
【００１９】
このように本実施形態によるストレージシステムは、ＳＶＰ９０のＲＡＩＤ構成テーブルを用い、予め設定された構成情報に基づいてＲＡＩＤグループ内の複数の磁気ディスク装置の初期化を行う工程と、前記構成情報をスペアディスク装置を含むＲＡＩＤグループに再設定する工程と、該再設定した構成情報に基づいてスペアディスク装置を含むＲＡＩＤグループの初期化を行う工程とを実行することによって、スペアディスク装置を物理的に交換することなしに、スペアディスク装置を含む総ての磁気ディスク装置の初期化によるデータ消去を容易に行うことができる。尚、前記実施形態においては、磁気ディスクにゼロパターンを書き込むことによりデータ消去を行う例を説明したが、本発明のデータ消去手法は、これに限られるものではない。
【図面の簡単な説明】
【００２０】
【図１】本発明の一実施形態によるデータ消去方法を実現するストレージシステムの構成図。
【図２】従来技術によるストレージシステムのデータ消去方法を説明するための図。
【符号の説明】
【００２１】
１ａ〜１ｎ：磁気ディスク装置、２ａ〜２ｎ：磁気ディスク装置、３ａ〜３ｎ：磁気ディスク装置、１０：ホストシステム、２１：チャネル、２２：キャシュメモリ、９０：サービスプロセッサ、９２：メモリ、９３：構成情報テーブル、Ｇ２〜Ｇ３：ＲＡＩＤグループ、Ｓｎ：スペアディスク装置。
【図１】
2008059129.tif 000003
【図２】
2008059129.tif 000004